(57)【特許請求の範囲】
【請求項１】
網制御装置と、網制御装置の１次側に接続され、回線閉結を検出する回線閉結検出手段とを有し、
網制御装置は、１次側に設けられ極給電により動作し２次側とシリアルデータ送受信を行うことによって回線制御と送受信データの授受を行う回線制御回路と、２次側に設けられシリアルインタフェース制御を行うシリアルインタフェース回路と、回線制御回路とシリアルインタフェース回路との間で絶縁状態でデータを送受信するデータ受渡し回路とを有し、
省電力状態のときに、網制御装置のシリアルインタフェース回路を使用せずに、回線閉結検出手段により並列に接続された電話機の回線閉結を検出して省電力モードを復帰させることを特徴とする通信装置。
【請求項２】
上記網制御装置の回線制御回路と回線閉結検出手段の間にライン切断手段を設けた請求項１記載の通信装置。
【請求項３】
網制御装置と、網制御装置の１次側に接続され、回線閉結を検出する回線閉結検出手段と、網制御装置の２次側に接続されたファクシミリシステム部とを有し、
網制御装置は、１次側に設けられ極給電により動作し２次側とシリアルデータ送受信を行うことによって回線制御と送受信データの授受を行う回線制御回路と、２次側に設けられシリアルインタフェース制御を行うシリアルインタフェース回路と、回線制御回路とシリアルインタフェース回路との間で絶縁状態でデータを送受信するデータ受渡し回路とを有し、
省電力状態のときに、網制御装置のシリアルインタフェース回路を使用せずに、回線閉結検出手段により並列に接続された電話機の回線閉結を検出し、ファクシミリシステム部の省電力モード制御部は回線閉結検出手段からの信号により省電力モードを復帰させることを特徴とするファクシミリ装置。
【請求項４】
上記網制御装置の回線制御回路と回線閉結検出手段の間にライン切断手段を設けた請求項３記載のファクシミリ装置。
【請求項５】
上記ファクシミリシステム部の省電力モード制御部にダイヤルパルス認識手段を有し、ダイヤルパルス認識手段で回線閉結検出手段からの信号によりダイヤルパルスを認識する請求項３又は４記載のファクシミリ装置。
【発明の詳細な説明】
【０００１】
【発明の属する技術分野】
この発明は、回線との通信を制御する網制御装置を有する通信装置及びファクシミリ装置、特に省電力効果の向上と誤動作の防止に関するものである。
【０００２】
【従来の技術】
ファクシミリ装置は、通常、常時連続的に使用するものでないため省電力モードが設けらている。この省電力モードのときは、省電力モード制御部にだけ電力を供給し、他の回路には電力を供給せずに、省電力モードからの復帰要因によって全体に電力を供給するようにしている。この省電力モードから復帰する方法として、例えば特開平３−２６５２６８号公報に示すように、電話回線に印加されている電圧を検出することにより外付けの電話機がループ状態であることを認識する方法がよく使われている。
【０００３】
このファクシミリ装置に、近年は半導体を使用した網制御装置（以下、ＮＣＵという）が使用されている。このＮＣＵは、極給電によって動作する１次側に配置された回線制御回路と２次側に配置されたシリアルインターフェース部（以下、シリアルＩ／Ｆ部という）とでデータの送受信を行うことで回線制御と送受信が可能であり、従来のフォトカプラとリレー等を組み合わせて構成するものと比べて省スペースと低コスト化が可能である。この半導体ＮＣＵをファクシミリ装置に使用した場合、省電力モードのときに、ＮＣＵのシリアルデータを処理する２次側のシリアルＩ／Ｆ部を動作させておかなければ並列に接続された電話機の回線閉結を認識できないため、省電力モード制御部とともにＮＣＵのシリアルＩ／Ｆ部にも電力を供給しておく必要がある。
【０００４】
【発明が解決しようとする課題】
上記のように省電力モードのときに、省電力モード制御部とともにＮＣＵのシリアルＩ／Ｆ部にも電力を供給しておくと、従来の省電力モード制御部による信号監視により外付け電話機の回線閉結を認識して省電力モードから復帰している場合と比べて消費電力が増加してしまうという短所がある。
【０００５】
この発明は係る短所を改善し、省電力効果の向上と誤動作の防止を図ることができる通信装置及びファクシミリ装置を提供することを目的とするものである。
【０００６】
【課題を解決するための手段】
この発明に係る通信装置は、網制御装置と、網制御装置の１次側に接続され、回線閉結を検出する回線閉結検出手段とを有し、網制御装置は、１次側に設けられ極給電により動作し２次側とシリアルデータ送受信を行うことによって回線制御と送受信データの授受を行う回線制御回路と、２次側に設けられシリアルインタフェース制御を行うシリアルインタフェース回路と、回線制御回路とシリアルインタフェース回路との間で絶縁状態でデータを送受信するデータ受渡し回路とを有し、省電力状態のときに、網制御装置のシリアルインタフェース回路を使用せずに、回線閉結検出手段により並列に接続された電話機の回線閉結を検出して省電力モードを復帰させることを特徴とする。
【０００７】
この発明のファクシミリ装置は、網制御装置と、網制御装置の１次側に接続され、回線閉結を検出する回線閉結検出手段と、網制御装置の２次側に接続されたファクシミリシステム部とを有し、網制御装置は、１次側に設けられ極給電により動作し２次側とシリアルデータ送受信を行うことによって回線制御と送受信データの授受を行う回線制御回路と、２次側に設けられシリアルインタフェース制御を行うシリアルインタフェース回路と、回線制御回路とシリアルインタフェース回路との間で絶縁状態でデータを送受信するデータ受渡し回路とを有し、省電力状態のときに、網制御装置のシリアルインタフェース回路を使用せずに、回線閉結検出手段により並列に接続された電話機の回線閉結を検出し、ファクシミリシステム部の省電力モード制御部は回線閉結検出手段からの信号により省電力モードを復帰させることを特徴とする。
【０００８】
上記網制御装置の回線制御回路と回線閉結検出手段の間にライン切断手段を設けることが望ましい。
【０００９】
また、ファクシミリシステム部の省電力モード制御部にダイヤルパルス認識手段を設け、ダイヤルパルス認識手段で回線閉結検出手段からの信号によりダイヤルパルスを認識すると良い。
【００１０】
【発明の実施の形態】
この発明のファクシミリ装置は、読取処理部や記録処理部，圧縮・復元部，通信制御部，ラインメモリ等を有し、装置全体の動作を制御するファクシミリシステム部と、モデムと、半導体を使用した網制御装置（ＮＣＵ）と、回線閉結認識手段と外付け電話機を有する。ファクシミリシステム部には省電力モード制御部を有し、省電力モードのときに、省電力モード制御部にだけ電力が供給される。ＮＣＵは、１次側に設けられ回線制御と送受信データの授受を行う回線制御回路と、２次側に設けられシリアルインタフェース制御を行うシリアルインタフェース回路と、回線制御回路とシリアルインタフェース回路との間でデータを送受信するデータ受渡し回路を有する。
【００１１】
このファクシミリ装置において省電力モードのとき、ファクシミリシステム部の省電力モード制御部を除いた部分とモデム及びＮＣＵのシリアルＩ／Ｆ部の電力供給を遮断して消費電力を低減する。この省電力モードの状態で回線閉結認識手段で外付け電話機の回線締結を検出すると、回線閉結認識手段はファクシミリシステム部の省電力モード制御部に回線閉結信号を送る。省電力モード制御部は回線閉結信号が送られると、省電力モードから復帰させる。
【００１２】
【実施例】
図１はこの発明の一実施例のファクシミリ装置の構成を示すブロック図である。図に示すように、ファクシミリ装置１は、読取処理部や記録処理部，圧縮・復元部，通信制御部，ラインメモリ等を有し、装置全体の動作を制御するファクシミリシステム部２と、モデム３と、半導体を使用した網制御装置（ＮＣＵ）４と、回線閉結認識手段５と、切断手段６及び外付け電話機７を有する。ファクシミリシステム部２には省電力モード制御部８を有し、省電力モードのときに、省電力モード制御部８にだけ電力が供給される。この省電力モード制御部８には通話とファクシミリ通信を切り換えるダイヤルパルス（ＤＰ）を認識するＤＰ認識手段９を有する。ＮＣＵ４は、１次側に設けられ極給電により動作し２次側とシリアルデータ送受信を行うことによって回線制御と送受信データの授受を行う回線制御回路１０と、２次側に設けられシリアルインタフェース制御を行うシリアルインタフェース回路１１と、例えばフォトカプラから構成され、回線制御回路１０とシリアルインタフェース回路１１との間でデータを送受信するデータ受渡し回路１２を有する。回線閉結認識手段５は、例えばフォトカプラと電流センサ等からなり、外付け電話機７の回線閉結を検出してファクシミリシステム部２の省電力モード制御部８に２値化された呼出信号を送る。切断手段６は、例えばリレーやフォトＭＯＳＩＣ等からなり、回線閉結認識手段５とＮＣＵ４の回線制御回路１０との間を接続するブリッジ回路１３の２次側に設けられ、通常時は回線閉結認識手段５と回線制御回路１０を接続し、省電力モードのときは回線閉結認識手段５と回線制御回路１０の接続を遮断する。
【００１３】
上記のように構成したファクシミリ装置１の動作を図２のフローチャートを参照して説明する。
【００１４】
ファクシミリ装置１のメイン電源がオンにすると(ステップＳ１)、切断手段６をオンにして回線閉結認識手段５と回線制御回路１０を接続する(ステップＳ２)。この状態でファクシミリ送受信するとき、ＮＣＵ４で通信を制御して送受信を行う。このファクシミリ送受信があらかじめ定めた時間経過しての次の送受信が行われないとき省電力モードに移行する(ステップＳ３)。省電力モードに移行すると、ファクシミリシステム部２の省電力モード制御部８を除いた部分とモデム３及びＮＣＵ４のシリアルＩ／Ｆ部１１の電力供給を遮断して消費電力を低減し、切断手段６をオフにして回線閉結認識手段５と回線制御回路１０の接続を遮断する（ステップＳ４）。この省電力モードのときに、回線閉結認識手段５で外付け電話機７の回線締結を検出すると、回線閉結認識手段５はファクシミリシステム部２の省電力モード制御部８に回線閉結信号を送る（ステップＳ５）。省電力モード制御部８は回線閉結信号が送られると、ファクシミリシステム部２の省電力モード制御部８を除いた部分とモデム３及びＮＣＵ４のシリアルＩ／Ｆ部１１に対する電力の供給をオンにして省電力モードから復帰させ（ステップＳ６）、切断手段６をオンにして回線閉結認識手段５と回線制御回路１０を接続する（ステップＳ７)。このように省電力モードから復帰してから回線閉結認識手段５と回線制御回路１０を接続して回線制御回路１０に回線閉結を認識させることにより、省電力モードの復帰前に回線制御回路１０からシリアルＩ／Ｆ部１１にシリアルデータを送信することを防ぐことができる。
【００１５】
回線閉結認識手段５と回線制御回路１０を接続した後、ＮＣＵ４のシリアルＩ／Ｆ部１１で通信を制御してファクシミリ通信を行う（ステップＳ８）。このファクシミリ通信が終了して、所定時間内にファクシミリ送受信がないときは、再び省電力モードに移行する（ステップＳ９，Ｓ３，Ｓ４）。
【００１６】
このように省電力モードのときに回線閉結認識手段５で外付け電話機７の回線締結を検出して省電力モードを復帰させるから、省電力モードのときにＮＣＵ４のシリアルＩ／Ｆ部１１に供給する電力を遮断することができ、消費電力を大幅に低減して省電力効果を高めることができる。
【００１７】
また、ファクシミリ装置１の機能にはダイヤルパルス（ＤＰ）によるリモート切換、すなわち外付け電話機からダイヤルパルスを発呼することで回線を電話通信とファクシミリ通信を切り換える機能がある。半導体を使用したＮＣＵ４ではダイヤルパルスを認識できず、逆に回線電圧が変動するため誤動作してしまう。このダイヤルパルス発呼時は回線電流がオン−オフするため回線閉結認識手段５にオン−オフ信号が入力される。そこで省電力モード制御部８のＤＰ認識手段９はＮＣＵ４の情報ではなく回線閉結検出手段５に入力したオン−オフ信号を認識してリモート切換を行い、リモート切換の誤動作を防ぐ。
【００１８】
【発明の効果】
この発明は以上説明したように、省電力状態のときに、回線制御と送受信データの授受を行う回線制御回路と、２次側に設けられシリアルインタフェース制御を行うシリアルインタフェース回路と、回線制御回路とシリアルインタフェース回路との間でデータを送受信するデータ受渡し回路を有するＮＣＵのシリアルインタフェース回路を使用せずに、回線閉結検出手段により並列に接続された電話機の回線閉結を検出して省電力モードを復帰させるようにしたから、省電力モードのときにＮＣＵのシリアルＩ／Ｆ回路に供給する電力を遮断することができ、消費電力を大幅に低減して省電力効果を高めることができる。
【００１９】
また、上記網制御装置の回線制御回路と回線閉結検出手段の間にライン切断手段を設け、省電力モードから復帰してから回線閉結認識手段と回線制御回路を接続して回線制御回路に回線閉結を認識させることにより、省電力モードの復帰前に回線制御回路からシリアルＩ／Ｆ回路にシリアルデータを送信することを防ぐことができ、誤動作が生じることを防止できる。
【００２０】
さらに、ファクシミリシステム部の省電力モード制御部にダイヤルパルス認識手段を設け、ダイヤルパルス認識手段で回線閉結検出手段からの信号によりダイヤルパルスを認識することにより、回線を電話通信とファクシミリ通信とに切り換えるときの誤動作を防止することができる。
【図面の簡単な説明】
【図１】この発明の実施例のファクシミリ装置の構成を示すブロック図である。
【図２】上記実施例の動作を示すフローチャートである。
【符号の説明】
１；ファクシミリ装置、２；ファクシミリシステム部、３；モデム、
４；網制御装置（ＮＣＵ）、５；回線閉結認識手段、６；切断手段、
７；外付け電話機、８；省電力モード制御部、９；ＤＰ認識手段、
１０；回線制御回路、１１；シリアルインタフェース回路、
１２；データ受渡し回路、１３；ブリッジ回路。
【図１】
0004412858.tif 000002
【図２】
0004412858.tif 000003